(57)【要約】【課題】二重絶縁を施した高周波加熱装置を実現すること。【解決手段】扉１８閉成時に本体１７及び扉１８の全外周を樹脂で覆い、扉１８の開閉に連動する複数スイッチを、電源回路の両側に、その接点間距離の合計が絶縁距離規格以上となる個数直列に接続することにより、扉１８閉成時には全外周を覆う樹脂が、扉開成時には複数スイッチが、各々付加絶縁となり、二重絶縁となる。【選択図】　図１
2004014397.tif 000002
【特許請求の範囲】
【請求項１】
本体と、扉と、扉開閉連動の複数個のスイッチとを有し、前記本体と扉の、扉閉成時に外周となる部分を絶縁物で覆うと共に、直列接続される全スイッチの接点間距離の合計が、規格で定める絶縁距離以上となる個数のスイッチを、電源回路の各々の側に接続した構成の高周波加熱装置。
【発明の詳細な説明】
【０００１】
【発明の属する技術分野】
本発明は、二重絶縁を施したした高周波加熱装置に関するものである。
【０００２】
【従来の技術】
電子レンジ等の高周波加熱装置は内部に高電圧を発生させる為にアースの施工が義務付けられている。洗濯機も同様にアースが義務付けられているが、これは浴槽付近など水に濡れる可能性の大きい環境で使用する為に当然と考えられ、また大型、重量機器であり、移動は考えられないからアース施工に違和感はあまり無い。しかし電子レンジは小型軽量化が進行し、トースターレンジなどの食卓上で使用する方が便利な機器が普及し始めているが、食卓上の機器ににアースを施工する事は困難である。従って機器を台所に置き、調理済の食品を食卓に運ぶ不便を忍ばなければならなかったのである。これに関して電気用品取締法では、二重絶縁を施せばアース端子無しの電子レンジも可能である旨が記載され、過去にアース端子の無い電子レンジが市販された例がある。二重絶縁とは通常の絶縁である基礎絶縁に加えて同等以上の絶縁性能を有する付加絶縁を施し、安全性を向上させたものである。
【０００３】
【発明が解決しようとする課題】
しかし全ての電気部品に二重絶縁を施せば高価かつ大型になる。特に高電圧部品の二重絶縁は大型化を大幅加速し、小型軽量化低価格化競争下において製品の競争力低下を招いてしまう。二重絶縁の方法としては、個別部品に施さず、機器全体を絶縁物で覆う方法も認められているが、電子レンジは加熱室や高周波漏洩防止機構など金属が露出せざるを得ない部分があり、この方法の採用は現在まで皆無である。
【０００４】
本発明は、前記従来の課題を解決するもので、金属を露出させた状態で二重絶縁を施した高周波加熱装置を提供することを目的とする。
【０００５】
【課題を解決するための手段】
前記従来の課題を解決するために、本発明の高周波加熱装置は、本体と、扉と、扉開閉連動の複数スイッチとを有し、前記本体と扉の、扉閉成時に外周となる部分を絶縁物で覆うと共に、直列接続される全スイッチの接点間距離の合計が、規格で定める絶縁距離以上となる個数のスイッチを、電源回路の各々の側に接続したものであり、これにより扉が閉じられている時は外周の絶縁物が、扉を開けた時には直列接続されたスイッチが、各々二重絶縁の付加絶縁となり、扉を開けた時に金属が露出する構成であるにも関わらず二重絶縁を満たす事ができる。
【０００６】
【発明の実施の形態】
請求項１に記載の発明は、本体と、扉と、扉開閉連動の複数スイッチとを有し、前記本体と扉の、扉閉成時に外周となる部分を絶縁物で覆うと共に、直列接続される全スイッチの接点間距離の合計が、規格で定める絶縁距離以上となる個数のスイッチを、電源回路の各々の側に接続したものであり、これにより扉が閉じられている時は外周の絶縁物が、扉を開けた時には直列接続されたスイッチが、各々二重絶縁の付加絶縁となり、扉を開けた時に金属が露出する構成であるにも関わらず二重絶縁を満たす事ができ、アースを施す必要が無く、食卓にも置ける小型軽量な高周波加熱装置が実現できる。
【０００７】
【実施例】
以下本発明の実施例について、図面を参照しながら説明する。
【０００８】
（実施例１）
図１は、本発明の第１の実施例における高周波加熱装置の電気回路図を示すものである。
【０００９】
図１において、中央左側のＡＣ１００Ｖからフューズ１を介して二つの電源トランス２及び３に接続される。その先に常開接点を有する主たる発振停止リレー４の接点が直列に接続され、次いで常閉接点を有する短絡リレー５の接点が電源の両側を短絡する位置に接続され、さらに続いて常開接点の、従たる発振停止リレー６の接点が接続される。その先には片側に発振停止スイッチも含め合計１０個づつのリレー接点が直列接続され、ファンモータ７、インバーター８が負荷として接続される。合計１０個のリレーは全て描くと煩雑になるので破線の箱を描いて一部代替した。各々の接点距離は０．３ｍｍ以上であり、常開接点である。インバーター８の出力にはマグネトロン９が接続される。前述の電源トランス２及び３の二次側にはスイッチ回路１０及び制御回路１１が各々接続される。整流及び平滑回路等省略して描いてない。
【００１０】
Ｓ極Ｎ極各々に感応するものを一対とし、４対のホールＩＣ、１２、１３、１４及び１５を用いる。ＳＮ一対のホールＩＣ１２の出力は前記主たる発振停止リレー４にＡＮＤ接続、短絡リレー５にＯＲ接続され、一対のホールＩＣ１４の出力は前記従たる発振停止リレー６にＡＮＤ接続される。その他の、一対のホールＩＣ１３及び１５の出力は前記片側合計１０個直列を構成する複数のリレーコイルに接続される。またホールＩＣ１４の出力が接続されたマイクロプロセッサー１６の出力にも１０個中の一部リレーコイルが接続される。また電源トランス２及び３はトランス単体に二重絶縁を施す。
【００１１】
図２は本発明の第１の実施例における高周波加熱装置の正面から見た斜視図である。図２において、本体１７及び扉１８は扉１８が閉じられた状態における外周部分は全て樹脂で覆われる。図には描かれてないが、吸排気用の開口部分は樹脂も開口を開けるが、内部の金属に指が届かない大きさとする。また図示の如く、扉１８を開けた状態では、本体１７の扉１８との対向部分１９は１８−８ステンレス鋼の様な磁石に吸引されない材質の金属とする。この背後に前記ホールＩＣ１２、１３、１４及び１５が取付けられる。操作部２０はゴム等の柔軟性を有する絶縁物で覆い、表示部分２１は透明なプラスチックで構成する。扉１８には二極着磁の磁石２２、２３、２４及び２５を取り付け、その位置は扉１８が閉じられた時に前記４対のホールＩＣと一対一で対向し、また着磁極性も各々のホールＩＣに対応してＮ又はＳ極を一致させる。
【００１２】
図３はその磁石２２とホールＩＣとの関係を示す右方向から見た断面図である。二極着磁された磁石２２の磁極と、ホールＩＣ１２の感応極性とを一致させる。
【００１３】
以上のように構成された高周波加熱装置について、以下にその動作、作用を説明する。
【００１４】
まず、扉１８が閉じられた時には図３に示す如く一対のホールＩＣ１２と磁石２２とが至近距離で対向し、かつ感応極性に一致した磁石であるからホールＩＣ１２はＳＮ両者ともＯＮし、その出力に接続された主たる発振停止リレー４及び短絡リレー５は共にＯＮする。同様に、他のホールＩＣ、１３、１４及び１５もＯＮし、片側１０個づつのリレーは、マイクロプロセッサー１６に接続された以外が全てＯＮする。この意味において、磁石２２とホールＩＣ１２の組み合わせを介して扉と１０個のリレーは開閉連動していると言える。操作部２０が操作され、動作開始されればこのリレーもＯＮし、ファンモータ７が回転し、高周波が発振される。この時、本体１７及び扉１８の外周全てが樹脂で覆われているので、この樹脂が付加絶縁として機能する。
【００１５】
扉１８が開かれると対向板１９等が露出する。しかし磁石が遠ざかるので全てのホールＩＣがＯＦＦし、マイクロプロセッサー１６に接続されたリレーも含め片側１０個づつのリレー全てがＯＦＦし、その接点が開く。前述の如く各々の接点距離が０．３ｍｍ以上であるから１０個直列した合計接点間距離は３ｍｍを超え、これが付加絶縁そして機能する。日本での絶縁距離規格は現在３ｍｍである。１０個のスイッチの前に挿入された電源トランス２及び３は単独で二重絶縁が施されている。この様に扉１８の開閉どちらの状態にも付加絶縁が存在し、機器全体として二重絶縁となる。
【００１６】
以上述べた様に、本体と、扉と、扉開閉連動の複数リレーとを有し、前記本体と扉の、扉閉成時に外周となる部分を絶縁物で覆うと共に、直列接続される全リレーの接点間距離の合計が、規格で定める絶縁距離以上となる個数のリレーを、電源回路の各々の側に接続したものであり、これにより扉が閉じられている時は外周の絶縁物が、扉を開けた時には直列接続されたリレーが、各々二重絶縁の付加絶縁となり、扉を開けた時に金属が露出する構成であるにも関わらず二重絶縁を満たす事ができ、アースを施す必要が無く、食卓にも置ける小型軽量な高周波加熱装置が実現できる。
【００１７】
なお本実施例では片側１０個づつ、両側で２０個のリレーを用い、絶縁距離３ｍｍを達成したが、電気駆動されるスイッチであるリレーに限定するものではない。従来から発振停止スイッチとして用いられているマイクロスイッチを２０個用いることも可能である。しかし２０個のマイクロスイッチを扉の開閉で動作させるには、取りつけスペース及び扉開閉時の動作力の点で実際問題としてかなり困難ではある。この点本実施例では一対のホールＩＣと、二極着磁した磁石のみを扉周辺に取り付け、リレー本体は離れた位置に置いて細い電線で接続すれば良いので、取付け可能であり、また磁石はホールＩＣを吸引しないので開扉力も小さく、実用上問題にならないのである。
【００１８】
個々のリレーの接点距離が大きなものを用いれば合計個数を少なくできる事は言うまでもない。
【００１９】
【発明の効果】
以上のように、請求項１に記載の発明によれば、二重絶縁を施した高周波加熱装置が実現し、アース無しで卓上でも気軽に使用することができる。
【図面の簡単な説明】
【図１】本発明の実施例１における高周波加熱装置の電気回路図
【図２】本発明の実施例１における高周波加熱装置の正面から見た斜視図
【図３】本発明の実施例１における高周波加熱装置の磁石付近の断面図
【符号の説明】
４　主たる発振停止リレー（スイッチ）
６　従たる発振停止リレー（スイッチ）
１２、１３、１４、１５　扉開閉連動機構（ホールＩＣ）
１７　本体
１８　扉
２２、２３、２４、２５　扉開閉連動機構（磁石）
【図１】
2004014397.tif 000003
【図２】
2004014397.tif 000004
【図３】
2004014397.tif 000005